(57)【特許請求の範囲】
【請求項１】
建物から屋外に複数本の支持梁を突設すると共に上記支持梁の屋外側端部に沿って前梁を架設し、上記支持梁に載せた複数枚の床材を敷き詰めて床面を形成し、上記床材の前端縁と前梁との間に上面に凹溝を有した長尺の樋部材を配置し、上記前梁の側面の長手方向に略等間隔で且つ長手方向に順次低い位置に複数個の支持具を取り付け、この複数個の支持具に長尺の受け板材を架設し、この受け板材に樋部材を載置し、受け板材の両端を上方に屈曲させて１対のフランジ片を形成すると共に上記１対のフランジ片の間に樋部材を嵌合し、受け板材の上面に止め部材を載置すると共に上記止め部材を支持具にビス止め固定し、止め部材の両端に上方に突出した係止片を設けると共に上記係止片を樋部材の下面に設けた溝状の被係止部に係合したことを特徴とする屋外通路。
【発明の詳細な説明】
【０００１】
【発明の属する技術分野】
本発明は、集合住宅の玄関前等に設置される屋外通路に関する発明である。
【０００２】
【従来の技術及び発明が解決しようとする課題】
従来から、集合住宅の玄関前等に設置される屋外通路Ａは、図５に示すように、建物躯体（図示せず）から屋外方向に突設した複数本の支持梁４と、上記支持梁４の屋外側端部に沿って架設した前梁３とで骨組みが形成され、窯業材料を押出し成形して形成した床材５を上記支持梁４の上に載せるようにして複数枚敷き詰めることで床面が形成されている。この屋外通路Ａの床面にあっては雨水の排水を行うために床面の前端部分に排水溝Ｂが設けられるものであり、この排水溝Ｂにあっては床面の前部に位置した床材５の前端縁部分に亙って凹溝３０を形成させることで設けられている。つまりこの凹溝３０は床材５の長手方向に亙って形成されているものである。
【０００３】
上述したように床材５は窯業材料の押出し成形で形成された長板状のものであるから、押出し成形時の押出し方向は床材５の長手方向と同一方向を構成するものである。そして、押出し成形された床材５の縦断面は床材５の長手方向の任意位置で同一になるように形成されており、排水溝Ｂを構成する凹溝３０においても同様にその溝深さを床材５の長手方向の任意位置で同一の高さに形成されているものである。つまり、上記凹溝３０で構成した排水溝Ｂにあっては床材５の長手方向の水勾配を施すことができないものである。この水勾配を施していない排水溝Ｂでは雨水が排水溝Ｂ内に溜まってしまったりする弊害が生じてしまい、好ましいものではなかった。
【０００４】
本発明は上記の点に鑑みてなされたものであり、水勾配を施した排水溝を設けた屋外通路を提供することを課題とするものである。
【０００５】
【課題を解決するための手段】
上記課題を解決するために本発明の屋外通路は、建物から屋外に複数本の支持梁４を突設すると共に上記支持梁４の屋外側端部に沿って前梁３を架設し、上記支持梁４に載せた複数枚の床材５を敷き詰めて床面を形成し、上記床材５の前端縁と前梁３との間に上面に凹溝６を有した長尺の樋部材２を配置し、上記前梁３の側面の長手方向に略等間隔で且つ長手方向に順次低い位置に複数個の支持具１を取り付け、上記樋部材２を支持具１に支持させたことを特徴とする。これにより、上記床材５の前端縁と前梁３との間に上面に凹溝６を有した長尺の樋部材２を配置し、上記前梁３の側面の長手方向に略等間隔で且つ長手方向に順次低い位置に複数個の支持具１を取り付け、上記樋部材２を支持具１に支持させたことから、上記床材５の前端縁と前梁３との間に配置する樋部材２は長手方向に傾斜を有して配置され、つまり樋部材２が構成する排水溝Ｂには水勾配が施されるものであり、屋外通路Ａの排水溝Ｂでの雨水の溜まり等を防止することができるものである。
【０００６】
また、複数個の支持具１に架設した長尺の受け板材７に樋部材２を載置し、上記受け板材７の両端を上方に屈曲させて１対のフランジ片７ｂを形成すると共に上記１対のフランジ片７ｂの間に樋部材２を嵌合させたことを特徴とする。これにより、複数個の支持具１に架設した長尺の受け板材７に樋部材２を載置したことから、樋部材２の下面全体を受け板材７によって支持させて樋部材２の強度の向上が図られており、また、受け板材７の両端を上方に屈曲させて１対のフランジ片７ｂを形成すると共に上記１対のフランジ片７ｂの間に樋部材２を嵌合させたので、樋部材２ががたつき無く配置されるものである。
【０００７】
更に、受け板材７の上面に止め部材８を載置すると共に上記止め部材８を支持具１にビス止め固定し、止め部材８の両端に上方に突出した係止片８ｂを設け、上記係止片８ｂを樋部材２の下面に設けた溝状の被係止部９に係合させたことを特徴とする。これにより、支持具１に架設した受け板材７に載置して支持具１にビス止め固定した止め部材８がその両端に上方に突設させた係止片８ｂを樋部材２の下面に設けた溝状の被係止部９に係合させたことから、樋部材２を支持具１に支持させる施工作業の施工性の向上が図られると共に、たとえば樋部材２を支持具１に直接ビス止めさせた際にはビスを挿通させるビス孔を樋部材２に穿設させるので上記ビス孔で漏水を発生させてしまう怖れがあるが、上述したように本樋部材２は係合構造で支持具１に支持されているので樋部材２に上記ビス孔を穿設することはなく、従って樋部材２での漏水が防止されているものである。
【０００８】
【発明の実施の形態】
以下、本発明を添付図面に示す実施形態に基づいて説明する。
【０００９】
図１乃至図４に本発明の実施の形態の例を示す。図４には、集合住宅の平面図を示すが、屋外通路Ａは集合住宅の階上に設けた部屋１９の玄関前に亙って設置され、この屋外通路Ａにはその屋外側端部に亙って雨水を排水する排水溝Ｂが設けられている。この排水溝Ｂにはその適所において階下に伸びる縦樋に連結した集水器２０が設置され、この集水器２０に水を流下させるために上記排水溝Ｂには集水器２０に向って下方向きに傾斜する水勾配が施されている。なお、図中２１は屋外通路Ａに通じる階段である。
【００１０】
上記屋外通路Ａは、図２に示すように、建物躯体から屋外方向に突設した片持ち状の複数本の支持梁４と上記支持梁４の屋外側端部に沿って架設した前梁３とで骨組みが形成され、窯業材料を押出し成形して長尺板状に形成した床材５を上記支持梁４の上に載せて略水平に複数枚敷き詰めることで床面が形成されている。ここで、床材５は押出し成形時の押し出し方向である床材５の長手方向を前梁３の長手方向に合わせて配置させているものである。床面上面には屋外通路Ａの屋外側端部に亙って設ける排水溝Ｂに向かう下り傾斜、つまり水勾配が施されている。本例では上記床面上面の水勾配を１／１００の斜度の勾配にしている。なお、図中２２は前梁３の屋内側側面の下部に前梁３の長手方向に亙って複数個設置した軒天井支持具であって、これは屋外通路Ａの下部に配置した軒天井２３を支持する部材である。また、前梁３の屋外側側面には前面化粧板２４が取り付けられており、また、前梁３の上方には屋外通路を通る人の落下を防止する手摺り２５（図３参照）や腰壁２６が備えられるのである。
【００１１】
上記屋外通路Ａの床面にはその屋外側端部に亙って雨水を排水する排水溝Ｂが設けられるが、この排水溝Ｂは床材５の前端縁と前梁３との間に配置される樋部材２で構成される。この樋部材２は、床材５同様に窯業材料を押出し成形して形成した長尺の部材であって、上面には長手方向に亙る凹溝６を有すると共に下面にはその両側端部分に長手方向に亙る１対の溝状の被係止部９を有して形成されている。ここで凹溝６は雨水を流す樋の役割をする部位であり、また、被係止部９は後述する止め部材８の係止片８ｂと係合する部位である。また、樋部材２の上面の両端部分では凹状の切り欠き１０が形成されている。この切り欠き１０は上記所定床材５の前端縁及び前梁３の間に配置した樋部材２にあって樋部材２と床材５及び前梁３との間での水漏れを防止するためのコーキング材１１等を充填させる部位である。この樋部材２は、樋部材２の長手方向を前梁３の長手方向と同方向にして前梁３の屋内側に沿って配置されるものであるが、以下に詳述する支持具１、止め部材８及び受け板材７によって前梁３に支持されるものである。
【００１２】
支持具１は、垂直方向に位置した垂直片１ａの上端から屋内側の水平方向に水平片１ｂを突設して側面視逆Ｌ型に形成すると共に、上記垂直片１ａと水平片１ｂとの間に補強片１ｃを連結させて構成された金具である。ここで垂直片１ａは前梁３の側面に沿わせて配置される部位であり、水平片１ｂは後述する受け板材７が載置される部位である。この垂直片１ａには、前梁３の側面に形成した１対の前梁貫通孔１２と共にビス等の連結具１４が挿入される１対の横貫通孔１３が形成され、また、水平片１ｂには、止め部材８及び受け板材７に設けた１対の縦貫通孔１６，１７と共にビス等の連結具１８が挿入される１対の縦貫通孔１５が形成されている。この支持具１は前梁３の屋内側の側面にその長手方向に略等間隔に複数個取り付けられる。そして、この前梁３の側面に等間隔に取り付けた複数個の支持具１にあっては、前梁３の長手方向に向って順次低くなるように前梁３への取付位置を設定してある。ここで、少なくとも前梁貫通孔１２及び横貫通孔１３のいずれか一つを縦方向に長い長孔に形成しておくと、上記支持具１を前梁３の側面に上下高さを違えて取り付ける際に長孔内の任意位置に連結具１４を位置させて前梁３に対する支持具１の高さ位置をある程度自由に設定することができ、施工性の向上が図られ好ましいものである。本例では支持具１の横貫通孔１３を縦方向に長い長孔状に形成してある。
【００１３】
受け板材７は、底板片７ａと上記底板片７ａの両端から上方に突出した１対のフランジ片７ｂとで縦断面略Ｕ字状に形成させた長尺のチャンネル鋼である。この受け板材７は上記前梁３に取り付けた複数個の支持具１の水平片１ｂに受け板材７の底板片７ａを載置させて配置される。ここで、複数個の支持具１は前梁３の長手方向に向って順次低くなるように取付けられているから、受け板材７は前梁３の屋内側に沿うと共に前梁３の長手方向への傾斜を有して配置されているものである。そして、この受け板材７は底板片７ａの適所に設けた一対の縦貫通孔１７に連結具１８を挿通させ、後述する止め部材８と共に支持具１に固定されるものである。
【００１４】
止め部材８は、底片８ａと上記底片８ａの両端から上方に突出した１対の係止片８ｂとで縦断面Ｕ字状に主体を形成すると共に、上記係止片８ｂの突出先端で上記係止片８ｂを側方に屈曲させて爪片８ｃを形成させた金具である。この止め部材８は、受け板材７の底板片７ａのうち支持具１に対応した部分に止め部材８の底片８ａを受け板材７の底板片７ａに載置させて配置される。つまり、止め部材８は支持具１の数と対応して複数個設けられている。そして、この止め部材８は底片８ａに設けた1対の縦貫通孔１６に連結具１８を挿通させ、下方に位置した支持具１と共に受け板材７を挟み込むようにして支持具１に固定されるものである。なお、止め部材８の1対の縦貫通孔１６にあっては、係止片８ｂの近傍位置である底片８ａの両端部分に設けられている。
【００１５】
上述したように前梁３の屋内側には複数個の支持具１に支持された受け板材７が前梁３の長手方向に傾斜を有して配置されているが、上記樋部材２はこの受け板材７の底板片７ａの上面に載置して配置する。ここで、受け板材７の底板片７ａの上面には長手方向の複数箇所で止め部材８が配置されているが、受け板材７に載置した樋部材２はこの止め部材８の係止片８ｂを樋部材２の下面の被係止部９に係合させて固定されている。この止め部材８の係止片８ｂと樋部材２の被係止部９との係合構造について詳述すると、樋部材２の被係止部９の溝形状は下方から上方に穿設された縦孔９ａと、上記縦孔９ａの上部に連通して外側方向に穿設された横孔９ｂとで構成されており、止め部材８の係止片８ｂを被係止部９の縦孔９ａに位置させると共に止め部材８の爪片８ｃを被係止部９の横孔９ｂを形成する周壁面に弾接させることで係止片８ｂと被係止部９との係合が為されるものである。その施工作業としては、樋部材２の下面を上方位置から受け板材７に押し付けることで、上記樋部材２の被係止部９と止め部材８の係止片８ｂとが係合されて樋部材２が受け板材７の上面にワンタッチで載置固定されるものであり、樋部材２の受け板材７への固定作業が容易に行い得るようになっているのである。なお、被係止部９の縦孔９ａにあってはその下部開口付近で止め部材８の底片８ａの上面に突出した連結具１８を収納させるといった役割も有している。
【００１６】
このように受け板材７の上面に載置固定された樋部材２にあっては、上記受け板材７同様に前梁３の長手方向に傾斜を有して配置されるものであり、つまりこの樋部材２により構成される排水溝Ｂは前梁３の長手方向への水勾配が施されたものになっている。しかして、屋外通路Ａの排水溝Ｂでの雨水の溜まり等が防止されているものである。なお、本例の樋部材２は床材５同様に窯業材料を押出し成形することで形成させており、樋部材２と床材５との外観を統一して良好な屋外通路Ａの外観を現出させているものである。ここで、窯業材料で形成された樋部材２にあっては床材５に比べて薄く形成されるために人が踏んだりして縦方向に荷重がかかった場合には強度的に不安があるものであるが、樋部材２を受け板材７に載置固定した状態では樋部材２の下面全体が受け板材７によって支持されており、樋部材２の強度は受け板材７により補強されているのである。また、樋部材２が受け板材７に載置固定された状態では樋部材２は受け板材７の両端の１対のフランジ片７ｂの間に嵌合されているので、樋部材２はがたつき無く配置されているのである。また、樋部材２を受け板材７に載置固定させるのに、たとえば樋部材２の配置にビス等の連結具を介在させて行わせると、上記連結具を挿通させるビス孔を樋部材２に設けることになり樋部材２での漏水を生じさせる一因になるが、本例では止め部材８の係止片８ｂと樋部材２の下面の被係止部９との係合で樋部材２の受け板材７への載置固定を行わせているので、樋部材２はビス孔を設けないで済む構造にしてあるものであり、樋部材２での漏水の発生を無くしていることも利点として挙げられるものである。
【００１７】
【発明の効果】
本発明の屋外通路にあっては、叙述したように、床材の前端縁と前梁との間に上面に凹溝を有した長尺の樋部材を配置し、上記前梁の側面の長手方向に略等間隔で且つ長手方向に順次低い位置に複数個の支持具を取り付け、上記樋部材を支持具に支持させたので、上記床材の前端縁と前梁との間に配置する樋部材は長手方向に傾斜を有して配置されるものであり、つまり樋部材は水勾配を有して配置されるものであるから、屋外通路の排水溝での雨水の溜まり等を防止することができるものである。
【００１８】
また、複数個の支持具に架設した長尺の受け板材に樋部材を載置したので、樋部材の下面全体を受け板材によって支持させることができて樋部材の強度の向上を図ることができ、また、受け板材の両端を上方に屈曲させて１対のフランジ片を形成すると共に上記１対のフランジ片の間に樋部材を嵌合させたので、樋部材をがたつき無く受け板材に載置させることができるものである。
【００１９】
更に、受け板材の上面に止め部材を載置すると共に上記止め部材を支持具にビス止め固定し、止め部材の両端に上方に突出した係止片を設け、上記係止片を樋部材の下面に設けた溝状の被係止部に係合させたので、樋部材を支持具に支持させる施工作業の施工性の向上が図られると共に、たとえば樋部材を支持具に直接ビス止めさせた際にはビスを挿通させるビス孔を樋部材に穿設させるので上記ビス孔で漏水を発生させてしまう怖れがあるが、上述したように本樋部材は係合構造で支持具に支持させていることから樋部材に上記ビス孔を穿設することはなく、従って樋部材での漏水が防止されているものである。
【図面の簡単な説明】
【図１】本発明の実施の形態の例であって、樋部材の支持具への支持構造を示す分解斜視図である。
【図２】同上の屋外通路の縦断面図である。
【図３】同上の腰壁の代わりに手摺りを設けた屋外通路の縦断面図である。
【図４】同上の屋外通路が設けられた集合住宅の平面図である。
【図５】従来技術の例の屋外通路の縦断面図である。
【符号の説明】
１  支持具
２  樋部材
３  前梁
４  支持梁
５  床材
６  凹溝
７  受け板材
７ｂ  フランジ片
８  止め部材
８ｂ  係止片
９  被係止部
Ａ  屋外通路
Ｂ  排水溝
【図１】
0003841662.tif 000002
【図２】
0003841662.tif 000003
【図３】
0003841662.tif 000004
【図４】
0003841662.tif 000005
【図５】
0003841662.tif 000006